(57)【特許請求の範囲】
【請求項１】
一端に採血針が貫通された状態で保持される採血針保持部が構成されており、他端から採血管が挿入されるように構成されており、側面に互いに対向された一対の開口部が形成された筒状のホルダー本体と、
前記ホルダー本体の外側からホルダー本体の一対の開口部内に弾力挟持部分が入り込み得るように該ホルダー本体に装着されており、挿入された採血管を弾力挟持し得るように構成された抜け止めリングとを備え、
前記抜け止めリングの一対の弾力挟持部分のホルダー本体軸方向に沿った中間位置に、一対の弾力挟持部分間の距離が、採血管の栓体の外径よりも小さい最狭部がホルダー本体の軸方向中間に形成されており、該弾力挟持部分のホルダー本体軸方向両端部分における一対の弾力挟持部分間の距離が採血管の栓体の外径よりも大きくされており、かつ前記最狭部から弾力挟持部分の軸方向両端に向かって一対の弾力挟持部分間の距離が大きくなるようにテーパーが付けられていることを特徴とする採血管ホルダー。
【請求項２】
前記弾力挟持部分の最狭部から採血針側端部に向かって形成されたテーパーの角度が、採血管ホルダーの軸方向に対して４５〜６０度の範囲とされている請求項１に記載の採血管ホルダー。
【請求項３】
前記抜け止めリングの一対の弾力挟持部分を結ぶ方向と直交する方向の長さが、一対の弾力挟持部分を結ぶ方向の長さよりも長くされている請求項１または２に記載の採血管ホルダー。
【請求項４】
一端に採血針が貫通された状態で保持される採血針保持部が構成されており、他端から採血管が挿入されるように構成されており、側面に開口部が形成されている筒状のホルダー本体と、
前記ホルダー本体の外側から開口部内に一部が入り込み得るようにホルダー本体に装着されており、一部が欠除された略リング状の構造を有し、採血管を弾力挟持するように構成された抜け止めリングと、
前記抜け止めリングに連結されており、かつ該抜け止めリングに連結されている側とは反対側の端部をホルダー本体の外側においてホルダー本体外表面に対して近接・離間させ得るように構成された操作レバーとを備え、
前記ホルダー本体の外表面にリブが形成されており、前記操作レバーをホルダー本体外表面に対して近接させるに際し、該リブを支点として操作レバーがホルダー本体外表面に対して近接されるように構成されていることを特徴とする採血管ホルダー。
【請求項５】
抜け止めリングの採血管を弾力挟持する部分のホルダー本体軸方向に沿う中間位置に採血管の栓体の外径よりも小さな内径を有する最狭部が形成されており、該弾力挟持部分のホルダー本体軸方向両端の内径が採血管の栓体の外径よりも大きくなるように、最狭部から弾力挟持部分のホルダー本体軸方向両端に向かってテーパーが付けられていることを特徴とする請求項４に記載の採血管ホルダー。
【請求項６】
前記弾力挟持部分の最狭部から採血針側端部に向かって形成されたテーパーの傾斜角度が、ホルダー本体軸方向に対して４５〜６０度の範囲とされている請求項５に記載の採血管ホルダー。
【発明の詳細な説明】
【０００１】
【発明の属する技術分野】
本発明は、例えば真空採血法などにおいて採血針を採血管に取り付けて採血を行う際に用いられる採血管ホルダーに関し、より詳細には、様々な採血管に適用することができ、採血に際しては採血管を確実に保持することができると共に、採血後に速やかに採血管を取り外すことが可能な採血管ホルダーに関する。
【０００２】
【従来の技術】
従来、真空採血に際し、作業を容易としかつ安全に行うために採血管ホルダーが広く用いられている。採血管ホルダーを用いて採血を行う場合、先ず、採血針を採血管ホルダーにセットし、採血針を血管に穿刺する。次に、採血管を採血管ホルダーに挿入し、採血針を採血管ホルダー内において採血管の栓体に穿刺し、採血を行う。採血後、採血管ホルダーから採血管を抜き取り、しかる後、採血針を血管から抜去する。次に、採血針を採血管ホルダーから取り外す。
【０００３】
複数の採血管に採血する場合には、上記採血管をホルダーに挿入し、採血する工程及び採血管をホルダーから抜去する工程を採血管の本数に応じて繰り返す。ところで、上述した工程のうち、採血針を血管に穿刺する工程においては、穿刺した瞬間に血液が採血針を通り採血管ホルダー内に漏洩するおそれがある。そこで、近年、採血針として、採血管の栓体を刺通する側の針先を覆うようにゴム鞘を設けることにより、血液の漏洩を防止するものが広く用いられている。
【０００４】
ところが、上記ゴム鞘を有する採血針を用いた場合、採血管を採血管ホルダーに挿入する工程において、ゴム鞘が採血管の栓体により採血管ホルダーの軸方向に圧縮されることになる。その結果、採血中に作業者が採血管から手を離すと、ゴム鞘の弾揆力により採血管が採血管ホルダーから抜け落ち、採血管内に所望の量の血液を採取することができないことがあった。
【０００５】
上記のように、採血管から手を離した際に、ゴム鞘の弾揆力により採血管が採血管ホルダーから抜け落ちる現象を、以下、キックバックと称することとする。上記キックバックを防止するために、従来、様々な採血管ホルダーが提案されている。
【０００６】
例えば、実開平３−１１１３０７号公報には、上記キックバックを防止するための抜け止めリングが設けられた採血管ホルダーが開示されている。この採血管ホルダーの構造を、図１４及び図１５を参照して説明する。
【０００７】
採血管ホルダー１０１は、ホルダー本体１０２と抜け止めリング１０３とを有する。ホルダー本体１０２は、略円筒状の形状を有し、一端側に採血針１０４が取り付けられている。採血管ホルダー１０２の他端側は開口されており、採血管１０５が挿入されている。採血管１０５は、採血管本体１０５ａと栓体１０５ｂとを有する。
【０００８】
ホルダー本体１０２の側面には対向し合うように一対の開口部１０２ａ，１０２ｂが形成されている。この開口部１０２ａ，１０２ｂに一部が入り込み得るように弾性を有する抜け止めリング１０３が取り付けられている。抜け止めリング１０３は、図１５においてホルダー本体１０２の先端から見た略図で示すように、外力が加えられない状態では、上記開口部内に入り込み、採血管本体１０５ａを弾力挟持している。この抜け止めリング１０３は、略楕円形状を有し、長径側端部１０３ａ，１０３ｂを近接するように指等で力を変えることにより、図１５の二点鎖線で示すように変形される。従って、このように変形させることにより、採血管本体１０５ａを弾力挟持している状態を解き、採血管１０５の挿入や抜去を容易とすることができる。
【０００９】
また、採血管１０５が取り付けられた状態では、図１４で示されているように、抜け止めリング１０３が採血管本体１０５ａを弾力挟持しており、かつ栓体１０５ｂの採血管本体１０５ａの開口縁から外側にはみ出している部分を係止しているため、上記キックバックを確実に防止することができる。
【００１０】
実開平３−１１１３０７号公報に開示されている採血管ホルダーでは、上記抜け止めリング１０３によりキックバックが防止されるが、現在一般的に用いられている採血管ホルダーの多くはこのような抜け止めリングを有していない。すなわち、一般の採血管ホルダーの多くは、後述のように、採血管の栓体と採血管ホルダー内面との摩擦力によりキックバックを防止するように構成されている。従って、作業者は、実開平３−１１１３０７号公報に開示されている採血管ホルダーを用いた場合でも、誤って採血管を採血管ホルダーから強い力で引き抜きがちとなる。
【００１１】
しかしながら、実開平３−１１１３０７号公報に開示されている採血管ホルダーでは、抜け止めリングによりキックバックが防止されているので、採血管を採血管ホルダーから無理矢理引き抜こうとすると、栓体１０５ｂが抜け止めリング１０３に係止されているため、採血管本体１０５ａから栓体１０５ｂが外れるおそれがあった。また、ゴム以外の硬質の材料からなる栓体１０５ｂの場合には、抜け止めリング１０３により係止されているため、無理矢理採血管１０５を採血管ホルダー１０１から引き抜こうとしても、栓体が変形せず、採血管１０５を採血管ホルダー１０１から引き抜くことが事実上不可能であった。
【００１２】
他方、特開昭５６−８９２６６号公報には、キックバックを防止し得る採血管ホルダーが開示されている。ここでは、採血管ホルダーの側面に、内側に押圧することにより移動され得る保持片が形成されている。他方、採血管として、採血管本体を閉栓している栓体の外側にキャップが取り付けられているものが用いられている。このキャップは、採血管本体の外側において他方端側に延ばされており、キャップの延ばされている部分の内面と採血管本体の外面との間に上記保持片が挿入される隙間が形成されている。従って、採血管を採血管ホルダーに挿入した後、保持片を外側から押圧し、上記隙間内にくい込ませることにより、上記キックバックが防止されている。
【００１３】
しかしながら、特開昭５６−８９２６６号公報に記載の採血管ホルダーでは、上述した保持片がくい込み得る隙間が設けられた採血管しか用いることができなかった。すなわち、例えば図１６に略図的に示すように、この採血管ホルダー１１１に通常の採血管１０５を挿入した場合、キックバックを確実に防止することはできない。すなわち、保持片１１２を外部から押圧し、採血管１０５の採血管本体１０５ａに接触させたとしても、保持片１１２がその弾性復元力により矢印方向に移動し、栓体１０５ｂの側方に移動し、採血管１０５から保持片１１２が外れがちであった。すなわち、特定の採血管を用意しなければ、キックバックを確実に防止することはできなかった。
【００１４】
他方、特開平３−３９６９５号公報には、採血管の栓体として、横断面が楕円形状のものを用い、採血管ホルダー内に対向し合うように一対のリブを設けた構造が開示されている。ここでは、採血管を採血管ホルダーに挿入する際には、栓体の長径方向が一対のリブを結ぶ方向と直交する方向となるようにして採血管を挿入し、挿入後に採血管を９０度回転させることにより、長径方向と一対のリブを結ぶ方向とを一致させてキックバックの防止が図られている。採血管を採血管ホルダーから抜去する際には、再度採血管を９０度回転させ、栓体の短径方向を一対のリブを結ぶ方向と一致させればよい。
【００１５】
しかしながら、特開平３−３９６９５号公報に開示されている方法では、上記のように、横断面が楕円形状の特殊な栓体及び一対のリブが設けられた特殊な採血管本体を必要とし、やはり適用される採血管が限定されるという問題があった。
【００１６】
すなわち、特開昭５６−８９２６６号公報や特開平３−３９６９５号公報に開示されている採血管ホルダーは、病院で用いられている様々な採血管にそのまま適用することはできないものであった。
【００１７】
他方、上述した採血管ホルダーの他、採血管ホルダー内の一部の内径を採血管の外径より小さくし、採血管を採血管ホルダーに押し込んだ際に内径の小さな部分と採血管との摩擦力によってキックバックを防止する構造も種々提案されている（実開平５−３５１０６号公報、実開平５−３５１０８号公報、特開平６−３８９４４号公報など）。
【００１８】
しかしながら、真空採血法で用いられる採血管では、内部の真空度を維持するために採血管本体に栓体が取り付けられている。また、採血に際しては、栓体に採血針を刺通させることが必要である。従って、この刺通抵抗が大きいと、採血作業者に大きな負担が加わり、大きな病院や集団検診等において数多くの採血作業をしなければならない場合、上記負担が非常に大きな問題となっていた。
【００１９】
よって、上記刺通抵抗だけでなく、採血管ホルダーにキックバックを防止するために採血管を押し込む構造では、キックバックを防止するための採血管の挿入作業が、さらに採血作業者に大きな負担を強いることとなっていた。
【００２０】
加えて、これらの多くの採血管ホルダーでは、採血管を抜去する際にも、大きな力で採血管を採血管ホルダーから引き抜く必要があった。ところが、採血管ホルダーから採血管を抜去する際には、採血針は血管に挿入されたままである。従って、採血管ホルダーの位置を固定したまま、採血管を引き抜かなければならず、採血管を引き抜くための力と同等の力を採血管ホルダーに対して反対向きに加えねばならなかった。ところが、採血管が採血管ホルダーの上記摩擦接触部分を通過した後には、採血管と採血管ホルダーとの間の抵抗は急激に小さくなる。しかしながら、採血管ホルダーには、上記のとおり採血管を引き抜く方向と反対方向に、すなわち血管方向に力が加えられたままであるため、採血針が血管に深く入り込み、甚だしき場合には、血管壁を突き破り、内出血等を引き起こすという問題があった。
【００２１】
本発明の目的は、上述した従来技術の欠点を解消し、対象とする採血管の種類の制約が少なく、様々な採血管に適用することができ、採血管を挿入する際の抵抗が小さく、かつ上述したキックバックを確実に防止し得る採血管ホルダーを提供することにある。
本発明の他の目的は、採血管を抜き取る際に、血管方向に移動し難いように操作し得る採血管ホルダーを提供することにある。
【００２２】
【課題を解決するための手段】
請求項１に記載の発明に係る採血管ホルダーは、一端に採血針が貫通された状態で保持される採血針保持部が構成されており、他端から採血管が挿入されるように構成されており、側面に互いに対向された一対の開口部が形成された筒状のホルダー本体と、前記ホルダー本体の外側からホルダー本体の一対の開口部内に弾力挟持部分が入り込み得るように該ホルダー本体に装着されており、挿入された採血管を弾力挟持し得るように構成された抜け止めリングとを備え、前記抜け止めリングの一対の弾力挟持部分のホルダー本体軸方向に沿った中間位置に、一対の弾力挟持部分間の距離が、採血管の栓体の外径よりも小さい最狭部がホルダー本体の軸方向中間に形成されており、該弾力挟持部分のホルダー本体軸方向両端部分における一対の弾力挟持部分間の距離が採血管の栓体の外径よりも大きくされており、かつ前記最狭部から弾力挟持部分の軸方向両端に向かって一対の弾力挟持部分間の距離が大きくなるようにテーパーが付けられていることを特徴とする。
【００２３】
請求項２に記載の発明では、前記弾力挟持部分の最狭部から採血針側端部に向かって形成されたテーパーの角度が、採血管ホルダーの軸方向に対して４５〜６０度の範囲とされている。
【００２４】
請求項３に記載の発明では、前記抜け止めリングの一対の弾力挟持部分を結ぶ方向と直交する方向の長さが、一対の弾力挟持部分を結ぶ方向の長さよりも長くされている。
【００２５】
請求項４に記載の発明に係る採血管ホルダーは、一端に採血針が貫通された状態で保持される採血針保持部が構成されており、他端から採血管が挿入されるように構成されており、側面に開口部が形成されている筒状のホルダー本体と、前記ホルダー本体の外側から開口部内に一部が入り込み得るようにホルダー本体に装着されており、一部が欠除された略リング状の構造を有し、採血管を弾力挟持するように構成された抜け止めリングと、前記抜け止めリングに連結されており、かつ該抜け止めリングに連結されている側とは反対側の端部をホルダー本体の外側においてホルダー本体外表面に対して近接・離間させ得るように構成された操作レバーとを備え、前記ホルダー本体の外表面にリブが形成されており、前記操作レバーをホルダー本体外表面に対して近接させるに際し、該リブを支点として操作レバーがホルダー本体外表面に対して近接されるように構成されていることを特徴とする。
【００２６】
請求項５に記載の発明では、抜け止めリングの採血管を弾力挟持する部分のホルダー本体軸方向に沿う中間位置に採血管の栓体の外径よりも小さな内径を有する最狭部が形成されており、該弾力挟持部分のホルダー本体軸方向両端の内径が採血管の栓体の外径よりも大きくなるように、最狭部から弾力挟持部分のホルダー本体軸方向両端に向かってテーパーが付けられている。
【００２７】
請求項６に記載の発明では、前記弾力挟持部分の最狭部から採血針側端部に向かって形成されたテーパーの傾斜角度が、ホルダー本体軸方向に対して４５〜６０度の範囲とされている。
【００２８】
【発明の実施の形態】
以下、本発明の非限定的な実施例を挙げることにより本発明を明らかにする。
（第１の実施例）
図１は、本発明の第１の実施例に係る採血管ホルダーを用いた採血器具を示す縦断面図であり、図２（ａ）及び（ｂ）は、該採血管ホルダーの縦断面図及び側面図である。
【００２９】
図１に示すように、採血器具１を使用する際には、採血管ホルダー２の前方に採血針３を固定すると共に、採血管ホルダー２内に採血管４を挿入する。なお、本明細書では、採血針３が装着される側、すなわち血管側を前方、その反対側を後方とする。
【００３０】
図２に示すように、採血管ホルダー２は、略円筒状のホルダー本体５と、ホルダー本体５に装着された抜け止めリング６とを有する。ホルダー本体５には、前方端に採血針３（図１参照）が貫通された状態で保持される採血針保持部５ａが形成されている。採血管ホルダーの他端は開口されており、採血管４（図１参照）が開口５ｂから挿入されるように構成されている。
【００３１】
図３（ａ）〜（ｃ）は、それぞれ、上記ホルダー本体の縦断面図、側面図、並びに（ｂ）とは異なる方向から見た側面図を示す。
採血管ホルダー５の側面には、図３（ａ）〜（ｃ）に示す一対の開口部５ｃ，５ｄが形成されている。本実施例では、開口部５ｂ，５ｃは側方から見た場合略矩形の形状を有するように構成されている。
【００３２】
開口部５ｃ，５ｄは、上記抜け止めリング６の弾力挟持部（後述）を入り込ませるために設けられている。
上記筒状のホルダー本体２を構成する材料については、特に限定されず、ポリプロピレン、ポリエステル、ナイロン、ポリエチレン等の適宜の合成樹脂あるいは金属等を用いることができる。
【００３３】
図１に戻り、上記ホルダー本体５の一対の開口部５ｃ，５ｄに弾力挟持部が入り込み得るように、抜け止めリング６がホルダー本体５に装着されている。この抜け止めリング６を、図４〜図６を参照して説明する。
【００３４】
抜け止めリング６は、略角環状の部材により構成されており、互いに対向するように一対の弾力挟持部６ａ，６ｂが配置された構造を有する。本実施例では、抜け止めリング６は、略矩形のリング状部材において、長辺側の略中央に、それぞれ、弾力挟持部分６ａ，６ｂが形成されている。すなわち、弾力挟持部分６ａ，６ｂを結ぶ方向と直交する方向の長さが、弾力挟持部分６ａ，６ｂを結ぶ方向の長さよりも長くされている。
【００３５】
従って、短辺側部分６ｃ，６ｄを指等により相手方に向かって押圧することにより、弾力挟持部分６ａ，６ｂ間の距離を拡大することができる。また、上記短辺側部分６ｃ，６ｄに加えた力を開放すると、弾力挟持部分６ａ，６ｂ間の距離が抜け止めリング６の弾性復元力により小さくなり、初期状態に復帰する。
【００３６】
上記抜け止めリングの弾力挟持部分６ａ，６ｂ間の距離は、採血管ホルダー２に挿入される採血管４の栓体４ｂの外径（最大径）よりも小さくされており、好ましくは採血管本体４ａの外径よりも若干小さくされており、それによって栓体４ｂの採血管本体４の開口縁よりも外側にはみ出ている部分の後面４ｂ1 が傾斜面６ｇ，６ｈにより係止されることになる。さらに採血管本体４ａを弾力挟持し得ることでより係止力を向上させることができる。
【００３７】
本実施例の特徴は、上記弾力挟持部分６ａ，６ｂの構造にある。これを、図５のＡ−Ａ線に沿う断面図である図６を参照して説明する。
図６において、抜け止めリング６の前端６ｃ側が採血針３が位置する側であり、後端６ｄ側が採血管４が挿入される側である。従って、前端６ｃと後端６ｄとを結ぶ方向が採血管ホルダー２の軸方向と一致されている。
【００３８】
弾力挟持部分６ａ，６ｂにおいては、採血管ホルダーの軸方向中間位置において、互いの対向距離が最も小さくなるように内方に突出したエッジ６ｅ，６ｆが形成されている。エッジ６ｅ，６ｆは互いに対向されており、該エッジ６ｅ，６ｆの形成により、エッジ６ｅ，６ｆによって本発明における最狭部が構成されている。
【００３９】
この最狭部におけるエッジ６ｅ，６ｆ間の距離Ｂは、採血管ホルダー２に挿入される採血管４の栓体４ｂの外径（最大径）よりも小さくされている。
他方、抜け止めリング６の前端における弾力挟持部分６ａ，６ｂ間の距離Ｃは、栓体４ｂの外径（最大径）よりも大きくされている。同様に、抜け止めリング６の後端における弾力挟持部分６ａ，６ｂ間の距離Ｄも、栓体４ｂの外径よりも大きくされている。
【００４０】
なお、エッジ６ｅ，６ｆ間の距離Ｂが栓体４ｂの外径よりも小さくされているのは、距離Ｂが栓体４ｂの外径よりも大きい場合には、採血管４を係止し、キックバックを防止する効果が得られないからである。また、距離Ｃが栓体４ｂの外径より大きくされているのは、小さい場合には栓体４ｂが傾斜面６ｇ，６ｈではなく、前端に係止されることになり、上記傾斜面６ｇ，６ｈを設けた意味がなくなるからである。
【００４１】
また、距離Ｄが栓体４ｂの外径より大きくされているのは、小さい場合には採血管４の挿入に際し、抜け止めリング６を通過させ難いからである。
また、エッジ６ｅ，６ｆから前端あるいは後端に向かって弾力挟持部分６ａ，６ｂ間の距離が次第に大きくなるように、エッジ６ｅ，６ｆの上下にテーパーが付けられている。このテーパーのうち、エッジ６ｅ，６ｆから前端にかけて形成されているテーパー面６ｇ，６ｈの傾斜角度は、採血管ホルダー２の軸方向に対して、特に限定されるわけではないが、本実施例では約４５〜６０度の範囲とされている。
【００４２】
上述した抜け止めリング６を構成する材料についても特に限定されず、径方向に弾性を有するように構成することができ、繰り返し使用し得るものである限り、適宜の材料により構成することができる。もっとも、焼却処分の容易性を考慮すると、合成樹脂を用いることが好ましく、例えばポリプロピレン、ポリアセタール、ナイロン、ポリエチレンなどを例示することができる。
【００４３】
次に、図１を参照しつつ、本実施例の採血管ホルダー２を用いた場合の採血操作を説明することにより、上記採血管ホルダー２の他の構成及び効果を明らかにする。
【００４４】
採血に際しては、ホルダー本体５の前方端側に形成された採血針保持部５ａに採血針３を装着する。この採血針３の装着は、採血針３の種類に応じて適宜の方法で行われる。すなわち、採血針３が採血管ホルダーに圧入する形式の場合には、採血針保持部５ａに採血針３を圧入することにより、ねじ込むことにより採血管ホルダーに固定する採血針の場合には、採血針保持部５ａにねじ込むことにより採血針が保持される。
【００４５】
従って、上記採血針保持部５ａは、目的とする採血針３に応じて採血針３を保持し得る適宜の構造を有するように構成されている。
次に、採血針３の血管穿刺側の刃先３ａを血管に穿刺する。
【００４６】
この場合、採血針３の採血管側刃先３ｂは、予めゴム鞘３ｃにより覆われている。従って、採血針３内に流入してきた血液はゴム鞘３ｃ内にとどまり、採血管ホルダー２内に漏洩し難い。
【００４７】
次に、採血管４を採血管ホルダー２に挿入する。採血管４の挿入に際しては、予め抜け止めリング６の短辺側部分６ｃ，６ｄ間を近づけるように指で押圧し、弾力挟持部分６ａ，６ｂ間の距離を採血管４の外径よりも大きくしておく。
【００４８】
従って、採血管４は採血管ホルダー２内において抜け止めリング６が設けられている位置を何らの支障なく通過する。その結果、採血管４の栓体４ｂに採血針３の採血管側刃先３ｂが刺通し、血液が採血管４内に流入する。また、採血管を挿入した後は、抜け止めリング６に加えていた外力を開放する。その結果、弾力挟持部分６ａ，６ｂ間の距離が小さくなり、採血管本体４ａが弾力挟持される。
【００４９】
上記採血管４の挿入に際しては、刃先３ｂを覆っていたゴム鞘３ｃは図１に示すように圧縮される。従って、ゴム鞘３の弾揆力により前述したキックバックが生じるおそれがある。
【００５０】
しかしながら、抜け止めリング６の弾力挟持部分６ａ，６ｂによりキックバックは確実に防止される。すなわち、弾力挟持部分６ａ，６ｂの前述した最狭部を構成しているエッジ６ｅ，６ｆ間の距離は、栓体４ｂの外径よりも小さくされているので、抜け止めリング６の弾力挟持部分６ａ，６ｂにより採血管本体４ａが弾力挟持されると共に、栓体４ｂの採血管本体４の開口縁よりも外側にはみ出ている部分の後面４ｂ1 が傾斜面６ｇ，６ｈにより係止されることになる。
【００５１】
従って、ゴム鞘３ｃの弾揆力によるキックバックを、上記弾力挟持部分６ａ，６ｂにより確実に防止することができる。
採血後には、採血管ホルダー２から採血管４を抜き取る。この抜き取りに際しては、好ましくは、抜け止めリング６の短辺側部分６ｃ，６ｄに指等により外力を加え、短辺側部分６ｃ，６ｄ間の距離を近づけるように変形させる。その結果、弾力挟持部分６ａ，６ｂ間の距離が拡大され、採血管４を採血管ホルダー２から無理なく抜き取ることができる。
【００５２】
また、たとえ作業者が、抜け止めリング６の操作に習熟していない場合であっても、採血管４を採血管ホルダー２から滑らかに抜き取ることができる。すなわち、弾力挟持部分６ａ，６ｂにおいては、エッジ６ｅ，６ｆから前端６ｃに向かって前述した傾斜面６ｇ，６ｈが形成されている。従って、採血管４を採血管ホルダー２から無理矢理引き抜こうとした場合、栓体４ｂが変形しつつ傾斜面６ｇ，６ｈに沿って移動するので、栓体４ｂは弾力挟持部６の上記最狭部から無理なく引き抜かれ得る。
【００５３】
好ましくは、上記傾斜面６ｇ，６ｈのテーパー角度は前述したとおり４５〜６０度の範囲とされる。このテーパー角度が４５度未満の場合には、栓体４ｂが硬質材料からなる場合には採血管４を栓体４ｂごと容易に引き抜くことができるものの、ゴムなどの柔軟な材料から栓体４ｂが構成されている場合には、傾斜面６ｇ，６ｈによる係止力が低下し、意図しない時にキックバックが生じることがある。逆に、上記傾斜面６ｇ，６ｈのテーパーの角度が６０度を超えると、採血管４に対する係止力が強くなりすぎ、栓体４ｂが硬質材料からなる場合には採血管４を図１に示す状態からそのまま引き抜こうとした場合抜けなくなり、栓体４ｂが採血管本体４ａから外れることがある。従って、上記傾斜面４ｇ，４ｈの角度が４５〜６０度の範囲にある場合には、栓体の材料の如何に関わらず、キックバックを確実に防止し得ると共に、無理矢理採血管４を引き抜こうとした場合であっても採血管４を採血管ホルダー２から無理なく引き抜くことができ、望ましい。
【００５４】
（第１の実施例の変形例）
第１の実施例の採血管ホルダー２においては、略矩形の平面形状を有する抜け止めリング６が用いられたが、抜け止めリング６の形状については、適宜変更し得る。例えば、図７（ａ）に示すように、平面形状が略楕円環である抜け止めリング１６としてもよく、図７（ｂ）に示すように平面形状が矩形の抜け止めリング２６を用いてもよい。なお、図７（ａ）に示す抜け止めリング１６では、楕円の短軸方向両側に弾力挟持部分１６ａ，１６ｂが配置されている。また、図７（ｂ）に示す抜け止めリング２６では、長辺側中央に弾力挟持部分２６ａ，２６ｂが配置されている。さらに、図８に示す抜け止めリング３６のように、平面形状が略矩形であり、弾力挟持部分３６ａ，３６ｂが長辺側の中央でなく、長辺側の全辺に至るように形成されているものであってもよい。
【００５５】
従って、抜け止めリング１６，２６，３６に示したように、本実施例で用いられる抜け止めリングの形状については、上記最狭部から弾力挟持部分の軸方向両端に向かって一対の弾力挟持部間の対向距離が大きくなるようにテーパーが付けられている限り、特に限定されるものではない。
【００５６】
（第２の実施例）
図９（ａ）〜（ｃ）は、本発明の第２の実施例に係る採血管ホルダーを用いた採血器具を利用した採血操作を説明するための断面図である。なお、第２の実施例を示す各図においては第１の実施例と同様であるため、採血針の図示は省略してあることを指摘しておく。
【００５７】
図１０（ａ）及び（ｂ）は、本実施例の採血管ホルダーのホルダー本体の側面図及び正面図、図１１はその縦断面図である。
図９に示すように、採血器具４１は、採血管ホルダー４２を用いて構成されている。採血管ホルダー４２は、略円筒状のホルダー本体４３に抜け止め部材４４を装着した構造を有する。
【００５８】
図１０及び図１１を参照して、ホルダー本体４３を説明する。
ホルダー本体４３は、合成樹脂やステンレスなどの金属からなる筒状の部材を用いて構成されている。ホルダー本体４３の一端には、採血針が貫通された状態で保持される採血針保持部４３ａが構成されている。採血針保持部４４の構造は、取り付けられる採血針に応じて適宜変更されるが、本実施例では、第１の実施例の採血針保持部５ａ（図２参照）と同様の構造とされている。従って、特に図示はしないが、図１に示した採血針３を本実施例においても採血針保持部４５に取り付けることができる。
【００５９】
ホルダー本体４３の他端には開口４３ｂが形成されており、該開口４３ｂから採血管が挿入されるように構成されている。
ホルダー本体４３の側面には、互いに対向するように一対の開口部４３ｃ，４３ｄが形成されている。開口部４３ｃ，４３ｄは、抜け止め部材４４の後述の抜け止めリングの一部を入り込ませるために形成されている。
【００６０】
ホルダー本体４３においては、開口部４３ｃの近傍において、外側面から外側に向かって突出するようにリブ４３ｅが形成されている。リブ４３ｅは、後述の操作レバー４６を操作する際の支点を構成するために設けられている。
【００６１】
次に、上記抜け止め部材４４の詳細を図１２及び図１３を参照して説明する。抜け止め部材４４は、抜け止めリング４５と、操作レバー４６とを一体化した構造を有する。抜け止めリング４５は、ホルダー本体４３の外側から開口部４３ｃ，４３ｄ内に一部が入り込み得るようにホルダー本体４３に装着されている。この抜け止めリング４５は、略リング状の構造を有し、一部４５ａが欠除されている。すなわち、欠除されている部分４５ａの両側に、弾力挟持片４５ｂ，４５ｃが形成されるように、略リング状の形状を有する。この抜け止めリング４５は、採血管を弾力挟持するために設けられているため、弾力挟持片４５ｂ，４５ｃが常時は採血管を保持し得るように、抜け止めリング４５の径は、採血管の外径よりも小さくされている。
【００６２】
また、後述の操作レバー４６を操作することにより欠除されている部分４５ａの幅が拡大され、それによって抜け止めリング４５の径が拡大されるように構成されている。従って、抜け止めリング４５は、特に限定されるわけではないが、合成樹脂、例えばポリプロピレン、ポリエチレン、ポリ塩化ビニル、ポリアセタール、ナイロンなどの弾性を有する材料により構成することが望ましい。
【００６３】
抜け止めリング４５の欠除された部分４５ａとは反対側の部分に操作レバー４６が抜け止めリング４５と一体に形成されている。この操作レバー４６は、抜け止めリング４５の外側面に連結されるように、抜け止めリング４５と一体に成形されている。
【００６４】
操作レバー４６は、抜け止めリング４５と連結されている部分から遠ざかるにつれてその幅が広がるように構成されている。また、操作レバー４６は、ホルダー本体４３の外表面に対応して、ホルダー本体４３側が凹状とされた円筒曲面を有するように構成されている。これは、操作レバー４６をホルダー本体４３側に近接させる際に、操作レバー４６をホルダー本体４３の外表面に無理なく近接させるためである。
【００６５】
従って、好ましくは、操作レバー４６のホルダー本体４３側の面の形状は、ホルダー本体４３の外表面と同じ曲率を有するように、あるいはホルダー本体４３が外表面よりも大きな曲率を有する円筒曲面とすることが望ましい。操作レバー４６の抜け止めリング４５と連結されている部分と反対側の端部４６ｂは自由端とされている。この端部４６ｂとホルダー本体４３のリブ４３ｅとの間の操作レバー部分が操作部４６ｃを構成する。
【００６６】
次に、本実施例の採血器具４１の操作方法を、図９を参照して説明する。
本実施例の採血管ホルダー４２では、上記筒状本体４３に、上述した抜け止めリング４５と操作レバー４６とが一体化された抜け止め部材４４が予め装着されている。すなわち、抜け止めリング４５の一部がホルダー本体４３の開口部４３ｃ，４３ｄに入り込み得るようにして、抜け止め部材４４がホルダー本体４３に装着されている。この場合、抜け止めリング４５の内径は採血管４の最大外径よりも小さくされている。
【００６７】
図９（ａ）に示すように、採血に際しては、先ず、採血管ホルダー４２の採血針保持部４３ａに採血針（図示せず）を装着する。この採血針としては、例えば図１に示した採血針３を用いることができるが、これに限定されず、採血管保持部４３ａに適合し得る適宜の採血針を取り付けることができる。
【００６８】
次に、採血針の血管側刃先を血管に挿入する。その結果、血液が採血針の採血管側刃先に導かれてくる。この場合、漏洩した血液はゴム鞘により覆われている。従って、採血針内に流入してきた血液はゴム鞘内にとどまり、採血管ホルダー４２内に漏洩し難い。
【００６９】
次に、採血管ホルダー４２のホルダー本体４３に採血管４を挿入する。
採血管４の挿入に際しては、操作レバー４６の操作部４６ｃをホルダー本体４３の外側面に近接させて抜け止めリング４４の内径を拡大させる。この場合、操作レバー４６の内面をリブ４３ｅに当接させ、操作部４６ｃを手指で押圧することにより、操作レバー４６をホルダー本体４３の外側面に近接させる。
【００７０】
その結果、リブ４３ｅが支点となって操作レバー４６の操作部４６ｃ側の部分がホルダー本体４３の外表面に近接する。従って、リブ４３ｅよりも端部４６ａ側の部分はリブ４３ｅを中心として図９（ｂ）に矢印で示すようにホルダー本体４３から遠ざかるように移動する。そのため、抜け止めリング４５の欠除された部分４５ａの幅が広がり、内径が拡大される。このようにして、抜け止めリング４５の内径を採血管４の最大外径部分よりも大きくし、その状態で採血管４を挿入する。
【００７１】
しかる後、操作レバー４６に加えていた力を開放することにより、図９（ｃ）に示すように、抜け止めリング４５の弾性復元力により、抜け止めリング４５が縮径される。そのため、抜け止めリング４５の内面が採血管４の採血管本体４ａの外表面に圧接される。従って、抜け止めリング４５により採血管本体４ａが弾力挟持される。また、抜け止めリング４５の前端が、栓体４ｂの採血管本体４ａの開口外側に延びている部分の後面４ｃに対向されることになる。
【００７２】
従って、上述したキックバックを抜け止めリング４５の前端４５ｄにより確実に防止することができる。すなわち、採血管４の挿入により、ゴム鞘３ｃが軸方向に圧縮され、ゴム鞘３ｃの復元力により採血管４がホルダー本体４３から排出される方向に応力が発生する。しかしながら、栓体４ｂの後面４ｃが、前述した抜け止めリング４５の前端４５ｄにより係止されることになるため、上記採血管４の排出、すなわちキックバックが確実に抑制される。
【００７３】
採血終了後には、再度操作レバー４６の操作部４６ｃを手指等により押圧し、抜け止めリング４５を拡径させる。この拡径により、抜け止めリング４５の内径を採血管４の最大径よりも大きくする。従って、採血後に、採血管４をホルダー本体４３から無理なく抜き去ることができる。
【００７４】
上記のように、本実施例の採血器具４１では、ホルダー本体４３に抜け止め部材４４が取り付けられているので、上記操作レバー４６を操作し、抜け止めリング４５の内径を拡大もしくは縮小させることにより、採血管４の挿入及び抜去を無理なく行うことができ、かつゴム鞘によるキックバックも確実に防止することができる。
【００７５】
また、上記抜け止めリング４５は、その径を縮小させて採血管４を弾力挟持するものであるため、特殊な採血管を必要としない。すなわち、様々な採血管に対して採血管ホルダー４２を用いることができる。
【００７６】
また、採血管４を採血管ホルダー４２から抜去する際には、上記のように操作レバー４６を操作し、抜け止めリング４５を拡径することにより、採血管４を無理なく抜去することができる。従って、採血管の抜去に際し、採血管ホルダー４２が血管側に移動し難い。よって、採血管ホルダー４２から採血管４を抜去する際に、血管の損傷等が生じ難い。
【００７７】
好ましくは、上記抜け止めリング４５については、図１３に断面図で示すように、前端４５ｄと後端４５ｅとの間に内径が最も小さくなる最狭部を構成するようにエッジ４５ｆを設けてもよい。この場合、エッジ４５ｆよりも前端４５ｄ側に、径が前端４５ｄに至るにつれて大きくなるようにテーパーが付けられた傾斜面４５ｇを構成することが望ましい。また、エッジ４５ｆから後端４５ｅに向けて徐々に径が大きくなるようにテーパーが付された傾斜面４５ｈを形成してもよい。
【００７８】
この場合、前端４５ｄ及び後端４５ｅの内径は、挿入される採血管４の栓体４ｂの最大径よりも大きくすることが望ましい。径Ｇが栓体４ｂの外径よりも小さいと、最狭部を形成した意味がなくなり、後端４５ｅにおける径Ｇが栓体４ｂの外径よりも小さい場合には、採血管４の挿入が困難となることがある。
【００７９】
また、上記エッジ４５ｆが形成されている最狭部の内径は栓体４ｂの外径（最大径）よりも小さくされている。従って、上述した操作レバー４６を用いた操作により抜け止めリング４５の内径を拡大することにより採血管４を無理なく挿入することができる。また、採血管４の抜去に際しては、操作レバー４６を操作し、抜け止めリング４５の内径を拡大することにより、同様に採血管４を無理なく抜去することができる。
【００８０】
しかも、図１３に示した抜け止めリング４５では、上記エッジ４５ｆから前端４５ｄに向けて傾斜面４５ｇが形成されているため、たとえ操作レバー４６ｂを操作せずとも、採血管４を抜去することも可能である。すなわち、作業従事者が操作レバー４６の操作を失念し、誤って採血後に採血管４を採血管ホルダー４２から引き抜こうとすることがある。この場合であっても、傾斜面４５ｇが形成されているので、採血管４を引き抜こうとした場合、前端４５ｄが傾斜面４５ｇに沿って変形し、エッジ４５ｆが形成されている最狭部分を通過し、採血管４が採血管ホルダー４２から引き抜かれ得る。
【００８１】
このように、採血管４を採血管ホルダー４２から無理矢理引き抜くことを可能とするには、上記傾斜面４５ｇの角度は、好ましくは、ホルダー本体４３の軸方向に対して４５〜６０度の角度で傾斜されていることが望ましい。傾斜角度が４５度未満の場合には、栓体４ｂが硬質材料からなる場合には、採血管４を栓体４ｂごと容易に引き抜くことができるものの、ゴムなどの柔軟な材料から構成されている場合には、傾斜面４５ｇによる係止力が低下し、意図しないときにキックバックが生じることがある。逆に、傾斜面４５ｇのテーパーの角度が６０度を超えると、採血管４に対する係止力が強くなりすぎ、栓体４ｂが硬質材料からなる場合には、そのまま抜去することができなくなり、栓体４ｂが採血管本体４ａから外れることがある。
【００８２】
本願発明者の実験によれば、採血管の栓体と採血管ホルダー内面との摩擦力によりキックバックを防止するように構成された従来の市販の採血管ホルダーを用いた場合、採血管の挿入に際し約９００〜１２００ｇｆの力が必要であり、採血管ホルダーから採血管を抜去する際には３００〜７００ｇｆの力が必要であることが確かめられた。
【００８３】
これに対して、第２の実施例の採血管ホルダー４２を用いた場合、採血管挿入時には、約８００ｇｆの力で済み、採血管４を抜去する際には、操作レバー４６を１００ｇｆの力で操作するだけで採血管４を引き抜く操作自体には、ほとんど力を要しなかった。
【００８４】
また、操作レバー４６の操作に際しては、操作レバー４６の操作部４６ｃをホルダー本体４３の外側面に近づける方向に力を加えるだけでよいため、すなわち、採血管ホルダー４２の軸方向に大きな力を加える必要がないため、採血管４の抜去に際し血管を損傷することもなかった。
【００８５】
【発明の効果】
請求項１に記載の発明に係る採血管ホルダーでは、筒状のホルダー本体の一対の開口部に一部が入り込み得るように抜け止めリングが筒状のホルダー本体に取り付けられており、該抜け止めリングの弾力挟持部分によりホルダー本体に挿入された採血管が保持される。この場合、抜け止めリングの一対の弾力挟持部分においては、採血管の栓体の外径よりも小さい最狭部がホルダー本体軸方向中間位置に形成されており、該弾力挟持部分のホルダー本体軸方向両端における一対の弾力挟持部分間の距離が先端の外径よりも大きくされており、さらに最狭部から弾力挟持部分の軸方向両端に向かって一対の弾力挟持部分間の距離が大きくなるように抜け止めリングにテーパーが付けられている。
【００８６】
従って、採血管の挿入に際しては、上記抜け止めリングの弾力挟持部分間の距離を拡大させることにより、採血管を容易に挿入し、該抜け止めリングの内径を小さくすることにより採血管を採血管ホルダーに確実に保持させることができる。しかも、上記最狭部における一対の弾力挟持部分間の距離が、栓体の外径よりも小さくされているので、キックバックを確実に防止することができる。すなわち、採血管の挿入により圧縮されたゴム鞘の弾揆力により採血管が採血管ホルダーから排出されるように力が働いたとしても、上記最狭部から採血針側に向かってテーパーが付けられているので、かつ最狭部における弾力挟持部分間の距離が栓体の外径よりも小さくされているので、キックバックを確実に防止することができる。
【００８７】
加えて、作業従事者が誤って従来の採血管ホルダーの場合と同様に、採血後に採血管を採血管ホルダーから無理矢理引き抜こうとした場合であっても、上記最狭部から弾力挟持部分の軸方向両端に向かってテーパーが付けられているので、該テーパーが付けられている傾斜面に沿って栓体が変形し、栓体を採血管本体から離脱させることなく、採血管ホルダーから抜き取ることができる。すなわち、安全性に優れた採血管ホルダーを提供することができる。
【００８８】
請求項２に記載の発明では、上記弾力挟持部分に形成されたテーパーの角度が、採血管ホルダーの軸方向に対して４５〜６０度の範囲とされているので、採血管を十分に保持し、キックバックを確実に防止することができると共に、種々の材質からなる栓体を用いた採血管を採血管ホルダーから採血後に無理矢理引き抜こうとした場合であっても、採血管を採血管ホルダーから無理なく引き抜くことが可能となる。
【００８９】
請求項３に記載の発明では、抜け止めリングの一対の弾力挟持部分を結ぶ方向と直交する方向の長さが、一対の弾力挟持部分を結ぶ方向の長さよりも長くされているので、弾力挟持部分を結ぶ方向と直交する方向両側に配置された部分を指等により互いに近接させるように操作することにより、弾力挟持部分間の距離を容易に拡大もしくは縮小させることができる。従って、採血管の挿入及び抜去を一層容易に行うことが可能となる。
【００９０】
請求項４に記載の発明に係る採血管ホルダーでは、筒状のホルダー本体の開口部内に一部が入り込み得るように抜け止めリングが装着されており、該抜け止めリングが一部が欠除された略リング状の構造を有し、採血管を弾力挟持するように構成されている。また、抜け止めリングに連結された操作レバーが、ホルダー本体の側面に形成されたリブを支点として操作され得るように構成されている。従って、採血管の挿入に際しては、リブを支点として操作レバーをホルダー本体外表面に対して近接させることにより抜け止めリングの内径を拡大させて採血管を容易に挿入することができる。また、操作レバーに加えられていた力を開放するだけで抜け止めリングの径が小さくなり、挿入された採血管を確実に保持することができ、キックバックを効果的に防止することができる。
【００９１】
加えて、採血後に採血管を採血管ホルダーから抜去する際には、操作レバーに再度力を加えるだけで、抜け止めリングの径が拡大されて採血管を容易に抜去することができる。この場合、操作レバーに加える力は、ホルダー本体軸方向と異なる方向であるため、採血管の抜去に際し血管を損傷するおそれもない。
【００９２】
よって、採血管の挿入・抜去を容易に行うことができ、ゴム鞘の圧縮に起因するキックバックを確実に防止することができ、さらに血管の損傷等が生じ難い、安全性に優れた採血管ホルダーを提供することができる。この採血管ホルダーにおいても、上記抜け止めリングにより採血管を保持するものであるため、特殊な採血管を必要としない。すなわち、様々な市販の採血管に対して広く適用することができる。
【００９３】
請求項５に記載の発明では、略リング状の抜け止めリングの採血管を弾力挟持する部分において、採血管の栓体の外径よりも小さな内径を有する最狭部が軸方向中間に形成されており、弾力挟持部分のホルダー本体軸方向両端の内径が採血管の栓体の外径よりも大きくなるように最狭部から弾力挟持部分のホルダー本体軸方向両端に向かってテーパーが付けられているので、採血後に誤って採血管をそのまま引き抜こうとした場合でも採血管を確実にかつ容易に抜去することができる。すなわち、栓体が上記テーパーが付けられている部分に沿って変形し得るので、操作レバーを操作することなく無理矢理採血管を引き抜こうとした場合であっても、採血管を採血管ホルダーから容易に引き抜くことができる。
【００９４】
請求項６に記載の発明では、上記テーパーの傾斜角度がホルダー本体軸方向に対して４５〜６０度の範囲とされているので、採血後に誤って採血管を採血管ホルダーから無理矢理引き抜こうとした場合であっても、より一層確実に栓体を変形させて採血管を引き抜くことができる。従って、栓体の離脱を生じることなく、採血管ホルダーから採血管を容易に引き抜くことができる。
【図面の簡単な説明】
【図１】本発明の第１の実施例に係る採血管ホルダーに採血針及び採血管を取り付けた状態を示す縦断面図。
【図２】（ａ）及び（ｂ）は、それぞれ、本発明の第１の実施例に係る採血管ホルダーの縦断面図及び側面図。
【図３】（ａ）〜（ｃ）は、それぞれ、本発明の第１の実施例で用いられているホルダー本体を説明するための縦断面図、側面図及び正面図。
【図４】本発明の第１の実施例で用いられている抜け止めリングを説明するための斜視図。
【図５】図４に示した抜け止めリングの平面図。
【図６】本発明の第１の実施例で用いられている抜け止めリングの断面図。
【図７】（ａ）及び（ｂ）は、本発明の第１の実施例に係る採血管ホルダーで用いられる抜け止めリングの変形例を説明するための各平面図。
【図８】本発明の第１の実施例で用いられる抜け止めリングのさらに他の変形例を示す斜視図。
【図９】（ａ）〜（ｃ）は、それぞれ、本発明の第２の実施例に係る採血管ホルダーにより採血を行う工程を説明するための各縦断面図。
【図１０】（ａ）及び（ｂ）は、本発明の第２の実施例に係る採血管ホルダーで用いられているホルダー本体を説明するための正面図及び側面図。
【図１１】本発明の第２の実施例で用いられているホルダー本体の正面断面図。
【図１２】本発明の第２の実施例で用いられている抜け止め部材及び操作レバーを一体化した部材を説明するための斜視図。
【図１３】本発明の第２の実施例の好ましい変形例において用いられている抜け止め部材の構造を説明するための縦断面図。
【図１４】従来の採血管ホルダーを説明するための部分切欠縦断面図。
【図１５】図１４に示した従来の採血管ホルダーにおける抜け止めリングを説明するための図であり、採血管ホルダーの先端側から見た状態を示す略図的断面図。
【図１６】従来の採血管ホルダーの他の例を説明するための略図的縦断面図。
【符号の説明】
１…採血器具
２…採血管ホルダー
３…採血針
４…採血管
４ａ…採血管本体
４ｂ…栓体
５…ホルダー本体
５ａ…採血針保持部
５ｂ…開口
５ｃ，５ｄ…開口部
６…抜け止めリング
６ａ，６ｂ…弾力挟持部分
６ｅ，６ｆ…最狭部を構成するためのエッジ
６ｇ，６ｈ…テーパーが付けられた傾斜面
１６…抜け止めリング
１６ａ，１６ｂ…弾力挟持部分
２６…抜け止めリング
２６ａ，２６ｂ…弾力挟持部分
３６…抜け止めリング
３６ａ，３６ｂ…弾力挟持部分
４１…採血器具
４２…採血管ホルダー
４３…ホルダー本体
４３ａ…採血針保持部
４３ｂ…開口
４３ｃ，４３ｄ…開口部
４３ｅ…リブ
４４…抜け止め部材
４５…抜け止めリング
４５ａ…欠除された部分
４５ｂ，４５ｃ…弾力挟持片
４５ｄ…前端
４５ｅ…後端
４５ｆ…最狭部を構成しているエッジ
４５ｇ…テーパーが付けられた傾斜面
４６…操作レバー
４６ｂ…端部
４６ｃ…操作部
【図１】
0003838779.tif 000002
【図２】
0003838779.tif 000003
【図３】
0003838779.tif 000004
【図４】
0003838779.tif 000005
【図５】
0003838779.tif 000006
【図６】
0003838779.tif 000007
【図７】
0003838779.tif 000008
【図８】
0003838779.tif 000009
【図９】
0003838779.tif 000010
【図１０】
0003838779.tif 000011
【図１１】
0003838779.tif 000012
【図１２】
0003838779.tif 000013
【図１３】
0003838779.tif 000014
【図１４】
0003838779.tif 000015
【図１５】
0003838779.tif 000016
【図１６】
0003838779.tif 000017